(57)【要約】      （修正有）【課題】放射線源を有するチェーンのチェーンコンポーネントためのマガジン及びシステムを提供する。【解決手段】放射線源を有するチェーンのチェーンコンポーネント用のマガジン１は、筐体７と、この筐体７内に回転可能にマウントされ且つチェーンコンポーネントを収容するための凹部を有する、チェーンコンポーネントを収容する第１手段と、チェーンコンポーネントを収容するための手段を駆動するための引張バネ２０，２１と、チェーンコンポーネントを収容するための手段へ回転可能に結合された且つ筐体７内の回転位置内にマウントされたスプロケット１３と、放射線源のイジェクションためのイジェクター１０を備える。さらに、マガジン筐体７内に回転可能にマウントされたイジェクションレバー４を備え、第１位置では、イジェクションレバー４は、スプロケット１３に噛み合い、第２位置では、これは、イジェクター１０をブロックする。【選択図】図２
2011161238.tif 000002
【特許請求の範囲】
【請求項１】
放射線源を有するチェーンのチェーンコンポーネント用のマガジンであって、
筐体と、
前記筐体内に回転可能にマウントされ且つチェーンコンポーネントを収容するための凹部を有するチェーンコンポーネントを収容する第１手段と、
前記チェーンコンポーネントを収容するための前記手段を駆動するための引張バネと、
前記チェーンコンポーネントを収容するための前記手段と固く結合され且つ前記筐体内に回転可能にマウントされたスプロケットと、
前記放射線源をイジェクトするためのイジェクターと、
前記筐体内に回転可能にマウントされたイジェクションレバーを備え、
前記イジェクションレバーは、第１位置では前記スプロケットに噛み合い且つ第２位置では前記イジェクターをブロックするように構成される、マガジン。
【請求項２】
請求項１に記載のマガジンであって、筐体内でスライド可能にマウントされたイジェクターを開閉するためのロッキングスライダーをさらに備える、マガジン。
【請求項３】
請求項１に記載のマガジンであって、前記凹部は、前記チェーンコンポーネントを収容するための前記手段の周囲上に提供され、さらに、境界が前記筐体内で前記チェーンコンポーネントを収容するための前記手段の周りに設けられ、前記境界と前記チェーンコンポーネントを収容するための前記手段の距離のサイズは、  前記チェーンコンポーネントが前記筐体内で前記チェーンコンポーネントを収容するための前記手段及び前記境界の間で配置及びガイド可能なようになっている、マガジン。
【請求項４】
請求項１に記載のマガジンであって、前記引張バネは、一定力バネである、マガジン。
【請求項５】
請求項4に記載のマガジンであって、前記筐体は、円形の内部ベアリングと共に提供され、その上に、前記一定力バネと、前記チェーンコンポーネントを収容するための前記手段と、その上に配置された前記スプロケットが配置される、マガジン。
【請求項６】
請求項4に記載のマガジンであって、前記一定力バネは、前記チェーンコンポーネントを収容するための前記手段の下方に提供され、前記スプロケットは、前記チェーンコンポーネントを収容するための前記手段の上方に提供され、及び／又は前記チェーンコンポーネントを収容するための前記手段及び前記スプロケットは、一体に形成される、マガジン。
【請求項７】
請求項6に記載のマガジンであって、前記チェーンコンポーネントを収容するための前記手段の、前記筐体の内部ベアリングと接触している領域は、外側から視認可能であるようにデザインされており、内容量を示す少なくとも１つのマークを有する、マガジン。
【請求項８】
請求項１に記載のマガジンであって、前記筐体は、
前記筐体上にマウントされた固定エレメントと噛み合う固定溝、及び／又は
前記ロッキングスライダーと共に働いて、エンコーディングエレメントのエンコーディング開口部内への挿入によって前記ロッキングスライダーが前記イジェクターを解放するエンコーディング開口部とを備える、マガジン。
【請求項９】
請求項１に記載のマガジンであって、前記筐体は、放射線-吸収材料、好ましくはステンレス鋼からなる、マガジン。
【請求項１０】
請求項2に記載のマガジンであって、前記イジェクションレバーは、第１圧縮バネによってバイアスされ、前記ロッキングスライダーは、第２圧縮バネによってバイアスされる、マガジン。
【請求項１１】
請求項１に記載のマガジンであって、前記イジェクションレバーは、前記筐体内で第２開口部を通じて外側から駆動可能である、マガジン。
【請求項１２】
請求項１に記載のマガジンであって、前記イジェクターは、前記チェーンコンポーネントが前記マガジンから外にイジェクトされ、及び／又は前記イジェクターが前記マガジンの下部前面側に提供されるように提供される、マガジン。
【請求項１３】
請求項１に記載のマガジンであって、一つのチェーンコンポーネントのイジェクションが前記筐体内で実行された後、前記チェーンコンポーネントを収容するための前記手段のさらなる回転をブロックするためのエレメントをさらに備える、マガジン。
【請求項１４】
放射線源を有するチェーン用のチェーンコンポーネント及び請求項１に記載のマガジンのシステムであって、一つのチェーンコンポーネントのイジェクションが起こった後、イジェクトされたチェーンコンポーネントの次のチェーンコンポーネント及び前記イジェクターレバーの連動作用によって前記チェーンコンポーネントを収容するための前記手段のさらなる回転をブロックするためのエレメントをさらに備える、システム。
【請求項１５】
請求項１4に記載のシステムであって、第２位置では前記イジェクションレバーは、前記イジェクターをブロックし、前記イジェクターに隣接した前記チェーンコンポーネントは、前記イジェクションレバーに押し付けられ、これによって前記チェーンコンポーネントを収容するための前記手段のさらなる回転がブロックされる、システム。
【発明の詳細な説明】
【技術分野】
【０００１】
この出願は、2010年2月12日に出願された欧州特許出願No. 10153450.1からの優先権を主張し、その全体がここに参照取り込みされる。
【０００２】
本発明は、放射線源を有するチェーン用のチェーンコンポーネント用のマガジンに関する。また、本発明は、チェーンコンポーネントと、放射線源を有するチェーン用のチェーンコンポーネント用のマガジンのシステムにも関する。このマガジンは、小線源療法での前立腺癌の治療のための、放射線源及びスペーサーから作られるチェーンの製造に向けられている。
【背景技術】
【０００３】
癌患者、特に前立腺癌患者内に放射線源から作られるチェーン、すなわちいわゆるシードをインプラントすることが知られている。この目的では、単一の放射線源が使われたり、例えば放射線源と非アクティブスペーサーを交互に並べることによって予め構成されたシードチェーンが使われたりする。単一の放射線源をインプラントすることにより、単一の放射線源を適切な手段を用いて個別に配置することが可能になる。インプランテーションの後の前立腺の炎症性拡大や、その後の腫れにより、放射線源の位置が移動又はシフトする場合がある。放射性チェーンは、この位置シフトを防ぐ。なぜなら、放射性チェーンは、個別のインプラントを互いに連結するからである。
【０００４】
新たな医療検査は、腫瘍を治療する際に、患者に個別に合わせた放射線治療を続けることが最高の結果に繋がるということを示している。こうするためには、個別の放射線源の位置は、各患者に対して正確に調節しなければならない。
【０００５】
WO 2009/005528は、隣接したインプラントを有する全部で５つの異なるマガジンからシード-スペーサーチェーンを自由に構成可能して連結するためのマガジン及びデバイスを開示する。このマガジンは、スタックされたチェーンコンポーネントをマガジンの外に直線的に下側に導く。しかしながら、この構成は、不利点を有する。なぜなら、チェーンコンポーネントの数が増えると、マガジンのかさが増し、扱いにくいからである。さらに、マガジンは、透明ポリマーで作られるので、パッケージの状態又はローディングデバイス内への挿入後にのみ耐放射線性であるからである。このため、マガジンの内容量は、約20の放射線源に制限される。その結果、より多くのチェーンを詰めるとき、マガジンを交換しなければならない。US 6,454,696 B1も、小線源療法用の線形マガジンに関するものである。US 6,648,711 B2及びUS 6,572,527 B2では、チェーンコンポーネントは、前後に配置される。しかしながら、これは、マガジンが省スペースに配置可能でないという不利点も有する。
【０００６】
US 6,616,593 B1は、自動化された円形の放射線源用マガジンに関するものである。ここでは、異なるチェーンコンポーネント（例：放射線源及びスペーサー）が異なるチャンバー内に配置される。これによってマガジン内のチェーンコンポーネントの駆動及びイジェクションが電気的に実行される。このようにこのマガジンは、外部駆動に依存し、内部駆動機構がない。これは、このようなマガジンが完全には滅菌可能でないという不利点を有する。さらに、このマガジンは、例えば、スペーサーホルダーの供給がなくなったが放射線源の供給がなくなっていない場合、交換しなければならない。その結果、オペレーターは、マガジン交換の間に放射に曝されうる。
【０００７】
US 6,454,696 B1は、連続的に配置される円形マガジンに関するものである。放射線源及びスペーサーがマガジンの回転軸に対して同心円状に配置される。マガジンは、外部駆動である。インプラントは、マガジンからイジェクトされるのではなく、マガジン内部の開口部内に配置され、外部ワイヤを用いて送り出される。その結果、製造する際に、後側のマガジンの個々のインプラントは、前側にあるマガジンを通じて押されなければならないという点で、スペーサー及び放射線源マガジンの接続には不利益がある。しかしながら、異なるマガジンを通じた手動での押し込みは、デバイスの詰まりを導くことが多い。これは、手動で修復しなければならない。異なるマガジンを通じてチェーンコンポーネントを手動で押し込むことは、US 6,358,195 B1から知られている。
【発明の概要】
【０００８】
本発明の目的は、放射線源を有するチェーンのチェーンコンポーネントためのマガジン及びシステムを提供し、現在の最新技術の不利点を克服することである。
【０００９】
従って、十分に滅菌可能なマガジンを提案することが本発明の目的である。別の目的は、チェーンコンポーネントをマガジン内に省スペースで配置することである。これは、治療にあたる手術スタッフが個別の放射プランに従って手術者に親切な方法でシードインプランテーションを実行することを可能にする。「手術者に親切」とは、ここでは、マガジンの取り扱いとユーザーの最適な放射線防護の両方に関連する。
【００１０】
従って、放射線源を有するチェーンのチェーンコンポーネント用のマガジンが提案される。このマガジンは、筐体と、チェーンコンポーネントを収容するための第１手段（筐体内に回転可能にマウントされかつチェーンコンポーネントを収容するための凹部を有する。）と、チェーンコンポーネントを収容するための手段を駆動するための引張バネ、チェーンコンポーネントを収容するための手段へ強固に結合され且つ筐体内に回転可能にマウントされたスプロケット、及び放射線源のイジェクションためのイジェクターを備える。さらに、このマガジンは、筐体内に回転可能にマウントされたイジェクションレバーを備える。このイジェクションレバーは、第１位置では、スプロケットに噛み合うように構成され、第２位置では、イジェクションをブロックする。
【００１１】
有利なことに、本発明によるマガジンは、チェーンコンポーネントをイジェクトするための電気機械コンポーネントを必要としない。なぜなら、これは、引張バネの形態の駆動力を自身で有しているからである。
【００１２】
好ましくは、スプロケット及び引張バネは、一体に又は１ピースで形成される。これらは、射出成形によりシンプルで費用対効果の高い方法で製造可能である。  
【００１３】
好ましい実施形態では、単一のイジェクターが提供される。これによって、放射線露出が最小化される。
【００１４】
マガジンは、好ましくは、１タイプのチェーンコンポーネント専用に構成される。これは、マガジンが放射線源又はスペーサーを収容するが、好ましくは、その両方を一緒には収容しない。
【００１５】
さらに、マガジンは、好ましくは、筐体の内側にスライド可能にマウントされ且つイジェクターを開閉するためのロッキングスライダーすなわちスライディングシャッターを備える。さらに、ロッキングスライダーは、放射線露出の最小化を可能にする。特に好ましくは、これは、並進にスライド可能にデザインされている。
【００１６】
チェーンコンポーネントを収容する手段は、好ましくは、円形にデザインされている。スプロケットも、好ましくは、円形にデザインされている。一実施形態では、凹部は、チェーンコンポーネントを収容する手段の周囲に沿って配置される。周囲に沿った配置は、多数のチェーンコンポーネントの収容を可能にする。
【００１７】
さらに、チェーンコンポーネントを収容する手段の周りに筐体内に境界を設けることができる。好ましくは、この境界とチェーンコンポーネントを収容するための手段の距離のサイズは、チェーンコンポーネントが前記筐体内でチェーンコンポーネントを収容する手段と境界の間に配置及びガイド可能であるようにデザイン可能である。これは、チェーンコンポーネントが脱落することなく、イジェクションに向かって、チェーンコンポーネントを収容する手段の周囲に沿ってガイド可能であることを意味する。この構成は、チェーンコンポーネントの省スペース貯蔵と、１００まで又はそれ以上のチェーンコンポーネントを有するマガジンの提供を可能にする。
【００１８】
好ましくは、引張バネは、一定力バネである。これは、常に同じ力での、チェーンコンポーネントを収容する手段のイジェクションを可能にする。
【００１９】
筐体は、円形の内部ベアリングを有することができ、その上に、一定力バネ、チェーンコンポーネントを収容するための手段、及び上記のマウントされたスプロケットが設けられる。好ましくは、一定力バネは、チェーンコンポーネントを収容する手段の下にマウントされ、スプロケットは、チェーンコンポーネントを収容する手段の上にマウントされ、これらは、互いに接続され、一定力バネがチェーンコンポーネントを収容する手段を駆動する。
【００２０】
チェーンコンポーネントを収容する手段の、筐体の内部ベアリングと接触している領域は、外側から視認可能であるようにデザインされており、内容量を示す少なくとも１つのマークが設けられている。好ましくは、この接触領域は、リングの形態でデザインされている。
【００２１】
チェーンコンポーネントをアセンブルするためのデバイス内でマガジンを固定するための固定エレメントと噛み合うように固定溝を筐体に設けてもよい。
【００２２】
好ましくは、筐体は、ロッキングスライダーと共に働くエンコーディング開口部を備え、個々のエンコーディングエレメントがエンコーディング開口部内に挿入されると、ロッキングスライダーは、イジェクションのブロックを解除する。このエンコーディングによれば、アセンブルデバイスの使用時に放射線源とスペーサーマガジンを取り違えることがありえない。
【００２３】
好ましい実施形態では、イジェクションレバーは、第１圧縮バネによってバイアスされ、ロッキングスライダーは、第２圧縮バネによってバイアスされる。イジェクションレバーは、筐体にある第２開口部を通じて外側からの駆動可能である。
【００２４】
好ましくは、イジェクターは、マガジンの周囲上にマウントされ、これによって、チェーンコンポーネントがマガジンの外にイジェクトされてマガジンから離れる。一実施形態では、イジェクターは、マガジンの下部前面側にマウントされる。この場合、チェーンコンポーネントは、下側に放出可能である。外側からマガジンを通じてチェーンコンポーネントを押しこむことは、不可能であり、その必要もない。
【００２５】
好ましくは、チェーンコンポーネントのイジェクション後にチェーンコンポーネントを収容する手段のさらなる回転をブロックするためのエレメントが実装される。これは、常に正確に一つのチェーンコンポーネントをイジェクトすることを可能にする。好ましくは、ブロッキング機能は、部分的には、イジェクションレバーと関係するスプロケットが引き受ける。
【００２６】
好ましくは、筐体は、放射線-吸収材料からなり、ステンレス鋼は、特に好ましい。これによって、放射線露出をさらに減らすことができる。
【００２７】
さらに、放射線源を有するチェーン用のチェーンコンポーネントと本発明によるマガジンのシステムが提案される。チェーンコンポーネントのイジェクション後にチェーンコンポーネントを収容する手段のさらなる回転をブロックするためのエレメントが、イジェクトされたチェーンコンポーネントの次のチェーンコンポーネントと、イジェクションレバーの連動作用によって実装される。このように、チェーンコンポーネント自体がブロッキングに使用可能である。
【００２８】
好ましくは、第２位置では、イジェクションレバーは、イジェクターをブロックし、イジェクターに隣接したチェーンコンポーネントは、イジェクションレバーに当接し、チェーンコンポーネントを収容する手段の回転がブロックされる。従って、駆動をブロックする方法がさらに提案される。
【図面の簡単な説明】
【００２９】
本発明の例示的実施形態は、図面及び次の記述において説明される。
【図１】放射線源を有するチェーンのチェーンコンポーネント用の本発明によるマガジンの上面図
【図２】カバーを有さない、放射線源を有するチェーンのチェーンコンポーネント用の本発明によるマガジンの上面図
【図３】カバーを有さず、チェーンコンポーネントを収容する手段を有さず、スプロケットを有さない、放射線源を有するチェーンのチェーンコンポーネント用の本発明によるマガジンの上面図
【図４】筐体を有さないコアマガジンコンポーネント
【図５】図1のマガジンを通る垂直断面
【図６−１１】種々のステップでの本発明によるイジェクション機構
【図１２】マガジン内の本発明によるブロッキング機構
【図１３】連結可能なスペーサー及び放射線源
【図１４】放射線源を含むチェーンを連結及びアセンブルするための本発明のデバイスの斜視図
【図１５】図14の、チェーンを連結及びアセンブルするための本発明のデバイスの側面図
【図１６】図15中の矢印と反対方向で見た場合の、図15中の直線A-Aに沿った、本発明のデバイスの斜視断面
【図１７】図15中の矢印の方向で見た場合の、図15中の直線A-Aに沿った本発明のデバイスを通る断面
【図１８】筐体無しの本発明のデバイスの第１図
【図１９】筐体無しの本発明のデバイスの第２図
【図２０】スペーサーマガジンを通る連結デバイスの断面
【図２１】スペーサーマガジンの下部セクションでの図20の拡大
【図２２】ニードルホルダー領域内で本発明の連結デバイスのフロントセクションを通る縦断面
【発明を実施するための形態】
【００３０】
本発明は、放射線源を含むチェーンのチェーンコンポーネント用のマガジン及びシステムに関するものである。マガジン及びシステムは、小線源療法での前立腺癌の治療用の、放射線源及びスペーサーから作られるチェーンの製造において用いられる。これは、他の用途（例：乳癌を治療するための、放射線源を有するチェーンの製造）にも使用可能である。
【００３１】
図1は、放射線源を有するチェーンのチェーンコンポーネント用の、本発明によるマガジン(1)の上面図を示す。図2は、カバー(7a)無しのマガジンを示す。図3では、チェーンコンポーネントを収容する手段(2)及びスプロケット(13)が省略されている。図4は、筐体(7)無しのマガジンのコアコンポーネントを示し、図5は、図1のマガジンを通る垂直断面を示す。
【００３２】
図1及び2に示すように、本発明のマガジン(1)は、カバー(7a)及び筐体シェル(7b)からなる筐体(7)を含む。このカバーは、マーキング(15)と連動してマガジンの充填レベルを表示するための表示(14)を含む。このマーキングは、好ましくは、チェーンコンポーネントを収容するために使用される内部ベアリングリング手段(2)上に配置される。
【００３３】
エンコーディング穴(11)、イジェクター(10)及び第１開口部(12)は、マガジン(1)の周囲、好ましくは筐体(7)の下側の側壁に配置される。好ましくは、一つだけのイジェクター、すなわちイジェクター開口部(10)が提供される。これによって、チェーンコンポーネントとして放射線源を用いる場合に、放射線露出を最小に保つことができる。このように、イジェクションは、チェーンコンポーネントを収容する手段が回転する面と同一又は平行面で起こる。チェーンコンポーネントは、マガジンからイジェクトされる。チェーンコンポーネントがイジェクターを離れた後、マガジンとチェーンコンポーネントの間のこれ以上の接触がない。エンコーディング穴(11)及び／又はイジェクター(10)及び／又は第１開口部(12)は、好ましくは、チェーンコンポーネントを収容する手段(2)から分離されて且つこれの下側に、同一面に又は平行面に配置される。
【００３４】
好ましい例示的な実施形態では、マガジンは、放射線源又はスペーサーの何れかの、正確に一つのタイプのチェーンコンポーネント用に構成されている。これによって、イジェクトされたチェーンコンポーネントを混同することが不可能である。
【００３５】
筐体(7)内に回転可能にマウントされているイジェクションレバー(4)は、第１開口部(12)と関連して配置される。イジェクションレバー(4)は、第１開口部(12)を通じて外側から作動される。静止位置では、イジェクションレバー(4)は、内側からイジェクター(10)を閉じる。イジェクター(10)は、第２引張バネ(21)の力によって外側に対してイジェクター(10)を閉じるロッキングスライダー(5)とも連結されている。ロッキングスライダー(5)は、並進に変位可能であり、ロッキングスライダー(5)が作動されると、イジェクター(10)は、ブロック解除される。ロッキングスライダー(5)は、開口部(11)又はエンコーディング穴(11)を介して作動され、これによって、イジェクター(10)がブロック解除される。さらに、マガジンは、好ましくは、中央開口部(17)を有するが、これに限定されない。
【００３６】
図2に示すように、円形のチェーンコンポーネントを収容する手段(2)（放射線源用マガジンのことをいうときは「シードデポ」(2)とも称される）は、リア筐体シェル(7b)内に挿入され、回転可能に支持される。チェーンコンポーネントを収容する手段(2)は、チェーンコンポーネント（例：放射線源(19)又はスペーサー(18)）を収容するようにデザインされている半径方向に配置された凹部(6)を含み、これらが脱落するのを防ぐ。凹部(6)は、好ましくは、チェーンコンポーネントの形状に合うようにデザインされている。凹部(6)は、半円形状を有し、チェーンコンポーネントを収容する手段(2)の周囲に沿った円形エッジ上に設けられることが特に好ましい。言い換えると、チェーンコンポーネントを収容する手段(2)は、歯車に似ているが、歯の代わりに外側のエッジ上に凹部(6)を有する。引張バネ(3)（好ましくは一定力バネ(3)）は、中心に対して同心円状にチェーンコンポーネントを収容する手段(2)を前進させることを可能にする。このように、チェーンコンポーネントをイジェクトするために、マガジンの外からの駆動力が必要とされない。マガジンは、完全に滅菌可能である。チェーンコンポーネントをイジェクトするためには、イジェクターレバーへの外部インパルスのみが必要とされ、その駆動は内部で独立して行われる。
筐体(7)からの材料壁は、チェーンコンポーネントを収容する手段(2)用の内部ベアリングリング(8)の形態でベアリング面として働く。内部ベアリングリング(8)は、好ましくは、開口部(17)の周りに形成される。さらに、好ましくはチェーンコンポーネントを収容する手段(2)より小さい直径を有するスプロケット(13)は、チェーンコンポーネントを収容する手段(2)上に配置される。スプロケット(13)は、好ましくは、チェーンコンポーネントを収容する手段(2)に作動的に接続されるか、又は一定力バネ(3)に直接接続されており、筐体(7)内に回転可能に支持される。スプロケット(13)は、回転ロックを有するように、チェーンコンポーネントを収容する手段(2)と連結されている。回転ロックは、イジェクションの間に一定力バネ(3)の前進を制限するようにデザインされており、これによって、単一のチェーンコンポーネントのみが一度にイジェクト可能である。好ましくは、スプロケット(13)及びチェーンコンポーネントを収容する手段は、１ピースで形成される。
【００３７】
マガジン(1)の中央から外側に向かって、マガジン(1)は、中央開口部(17)、内部ベアリングリング(8)、スプロケット(13)、チェーンコンポーネントを収容する手段(2)及びチェーンコンポーネントを収容する手段(2)の境界(16)からなる。現在の例示的な実施形態では、スプロケット(13)と、チェーンコンポーネントを収容する手段(2)は、リア筐体シェル(7b)の凹部内に埋め込まれる。
【００３８】
凹部の内壁(16)(図3を参照)は、チェーンコンポーネントを収容する手段(2)を制限する役割を有する。凹部の壁(16)、すなわちより一般的には、チェーンコンポーネントを収容する手段(2)の境界(16)とチェーンコンポーネントを収容する手段(2)自体の間の距離は、チェーンコンポーネントが凹部(6)内でガイド及び捕捉可能なようなサイズになっている。これによって、チェーンコンポーネントは、イジェクター(10)に向かって円形の経路上でガイドされる。図3に示すように、引張バネ(3)は、チェーンコンポーネントを収容する手段(2)の下に支持される。
【００３９】
後述するように、イジェクションレバー(4)は、バネ(3)及びチェーンコンポーネントを収容する手段(2)を抑止する。バネ(3)及びチェーンコンポーネントを収容する手段(2)の抑止は、マガジンが作動する度に、マガジンから単一のインプラント、すなわちチェーンコンポーネントのみが放出されることが可能にする。抑止は、一方では、イジェクターレバー(4)上での第１インプラントのポジティブロッキングによって起こり、他方では、上側にあるスプロケット(13)の周期的噛み合いによって起こる。イジェクターレバー(4)は、ワーキングチャネル内にインプラントを積極的に押し出すことによってインプラントの放出をサポートする。イジェクターレバー(4)は、好ましくはバネ支持されており、後述するローディングデバイス(101)中での対応するレバー機構を用いて作動される。インプラントは、マガジンベースにおいて開口部(10)からワーキングチャネル内に放出される。マガジン(1)は、好ましくは、機械的コーディング及びカラーコーディングされる。カラーコーディングは、チェーンコンポーネントを収容する手段(2)を着色することによって実行可能であり、スケールの移動可能なコンポーネントを表す。使用済みの放射線源及びスペーサーの数は、マガジン上で直接読むことができる。
【００４０】
以下、放射線源マガジンを例として用いてマガジンの説明を行うが、これに限定されず、ここでの議論は、スペーサーマガジンに適用されないということが明示されない限り、スペーサーマガジンにも当てはまる。
【００４１】
マガジン(1)をアセンブルするために、引張バネ(3)が筐体の後ろ半分に最初にマウントされ、次にチェーンコンポーネントを収容する手段(2)と共にリア筐体シェル(7b)内に挿入される。次に、図3に示すように、イジェクターレバー(4)及びロッキングスライダー(5)が用いられ、好ましくは引張バネ20及び21を用いて付勢する。ここで、イジェクターレバー(4)は、ピンによって回転可能にマウントされており、ロッキングスライダー(5)は、筐体シェル(7b)内の溝内で並進変位可能である。
【００４２】
カバー(7a)なしのマガジン(1)をアセンブルした後、放射線源(19)(又はスペーサー(18))は、チェーンコンポーネントを収容する手段(2)の前面側で半円形凹部(6)内に、チェーンコンポーネントを収容する手段(2)の軸に平行に配置される。チェーンコンポーネントを収容する手段(2)の充填の前に、好ましくは一定力バネ(3)を用いて、引張バネ(3)に張力をかけなければならない。これは、引張バネ(3)の張力をかける方向に、チェーンコンポーネントを収容する手段(2)を回転させることによって行われる。第１放射線源(19)を挿入することによって、引張バネ(3)の緩和が妨げられる。次に、追加の放射線源(19)が挿入される。マガジン(1)の次の操作では、個別の第１放射線源(19)は、(放出前に)ブロッキングエレメントすなわち引張バネ(3)の緩和を防ぐ手段として役立つ。マガジン(1)が充填された後、カバー(7a)が取り付けられる。チェーンコンポーネントを収容する手段(2)の内部ベアリング(8)は、広げられ、マーキング(15)が設けられた場合には、マガジンカバー(7a)と連動して、マガジン内に残っている放射線源(19)又はスペーサー(18)用の容量インジケーターとし働く。
【００４３】
ロッキングスライド(5)及びリア筐体シェル(7b)中での対応する切削部を除いて、スペーサー(18)を格納するためのマガジン(1)は、放射線源マガジンと同一である。従って、両方のタイプのマガジンのアセンブル及び充填は、同様に行われる。ロッキングスライダー(5)は、スペーサーマガジン内にも配置可能である。しかしながら、これは、全く必要ではない。なぜなら、スペーサーは、放射性でないからである。放射線源マガジンからのロッキングスライダー(5)は、充填のためにデバイス(101)内にマガジンを挿入する前に、外側に向かう放射線をシールドするのに役立つ。
【００４４】
マガジン(1)の狭い側面の少なくとも１つ、好ましくは両方は、固定溝(9)と共に提供される。これらは、放射線源をアセンブルするためのデバイス(101)内にマガジン(1)を設置した後、それをデバイス内に捕捉するためと、デバイス(101)内のワーキングチャネルに対する位置決め支援に役立つ。
【００４５】
放射線源マガジンの底面の中央領域には、インプラントをイジェクトするための開口部(10)がある。この開口部(10)の一側面には、エンコーディング穴(11)が設けられている。放射線源チェーンを連結するデバイス(101)内に放射線源マガジンを設置すると、ロッキングスライダー(5)がデバイス(101)内のエンコーディングボルトによって変位され、イジェクション開口部(10)が解放される。この機能は、好ましくはスペーサーマガジンでは実装されない。なぜなら、ロッキングスライド(5)は、放射線源(19)からの放射性放射線へのオペレーターの露出を防ぐためのものであるからである。これは、スペーサー(18)には必要ではない。なぜなら、スペーサーは放射性でないからである。当然のことながら、スライダー(5)を設けてもよい。
【００４６】
イジェクターレバー(4)は、デバイス(101)内の対応するレバー機構(113)によって、イジェクション開口部(10)の他方の側面上にある第２開口部(12)を通じて作動可能である。イジェクション機構は、図6〜11中での個別のステップで示される。最初に、イジェクション開口部(10)は、図6に示すように、イジェクターレバー(4)によって物理的にブロックされる。この位置では、イジェクターレバー(4)は、スプロケット(13)と噛み合わない。単一の放射線源(19)又はスペーサー(18)は、イジェクターレバー(4)の外面を操作することによってマガジン(1)からイジェクトされる。この操作によって、イジェクターレバー(4)は、最初の放射線源(19)又は最初のスペーサー(18)に向かって持ち上がる(図7)。最初の放射線源(19)又はスペーサー(18)は、図6に示すブロッキング機能を失い、チェーンコンポーネントを収容する手段(2)は、引張バネ(3)によって駆動されて、中央開口部(17)又はマガジン(1)の中央に対して同心円状に移動する。しかしながら、このモーションは、さらなる動きの間、チェーンコンポーネントを収容する手段(2)の上側のスプロケット(13)の歯車とイジェクターレバー(4)との噛み合いによってブロックされる(図8、9)。チェーンコンポーネントを収容する手段(2)の回転によって、最初の放射線源(又はスペーサー)のみが押されて、イジェクション開口部(10)の上方に配置された位置へ動かされる(図9)。最初の放射線源は、次に、チェーンコンポーネントをアセンブルするために、イジェクターレバー(4)によって後部に向かって下側に、好ましくは、イジェクション開口部(10)の下方にあるワーキングチャネル内に(図示せず)放出される(図10及び11)。
【００４７】
イジェクターレバー(4)を作動させた後、イジェクターレバーは、図6に示すように、以前の位置に戻り、イジェクション開口部(10)を再びブロックする。これによって、その次の第１放射線源(19)又はその次の第１スペーサー(18)がイジェクターレバー(4)に当接することによって、チェーンコンポーネントを収容する手段(2)のさらなる回転が再び妨げられる(図11)。この機構は、チェーンコンポーネントを収容する手段(2)を漸次回転させ、ワーキングチャネル内に単一の放射線源(19)又はスペーサー(18)がイジェクトされることを可能にする。空のマガジン(1)のマガジン操作に対してレバー4をリリースすることは起こりえない。これは、図12において示される。矢印は、チェーンコンポーネントを収容する手段(3)の回転方向を示す。最後のマガジンインプラントが円で示した位置に配置される。最後のインプラントがマガジンからイジェクトされた後、レバー(4)は、引張バネ(3)及びレバーバネ、及び第１圧縮バネ(20)によって付勢されてブロッキングエレメント(22)の丸で囲った谷部内に落ちる。ブロッキングエレメント(22)は、レバー(4)の動きの余地を与えない。チェーンコンポーネントをイジェクトするためのレバー機構(113)のボタン(113a)の操作(図18を参照)によって、レバー(4)の脱線が起こる。しかしながら、この動きがブロックされるので、空のマガジンについてもボタン(113a)の操作がブロックされる。
【００４８】
図13は、アセンブリ用に構成されているスペーサー(18)及び放射線源(19)を示す。図13aは、スペーサー(18)及び放射線源(19)の外側の、縦断面を示す。放射線源(19)は、図13aで長方形として示される内部放射性コアを有する。放射線源(19)及びスペーサー(18)は、連結又はアセンブリによりチェーンにするように構成されている端部を有する。２つのスペーサー(18)又は２つの放射線源(19)を連結することもできる。スペーサー(18)又は放射線源(19)は、好ましくは、それぞれ、雄端部(右)及び雌端部(左)を有する。チェーンは、放射線源(19)及びスペーサー(18)のデザインにより自由にアセンブルすることができる。
【００４９】
図14は、放射性放射線源を有する放射線チェーンを連結及びアセンブルするための、好ましくは上記のマガジン1と共に動作する、本発明によるデバイス(101)の斜視図を示す。
【００５０】
図15は、図14中の放射線チェーンを連結及びアセンブルするための本発明によるデバイスの側面図を示す。図16は、図15中の矢印の反対の方向で見た場合の、図15の直線A-Aに沿った本発明によるデバイスの斜視断面図を示す。図17は、図15中の矢印と同じ方向で見た場合の、図15の直線A-Aに沿った本発明によるデバイスの断面を示す。図18は、本発明によるデバイスの筐体無しの第１図である。図19は、本発明によるデバイスの筐体無しの第２図である。図20は、連結用デバイスの、スペーサーマガジンを通る断面を示す。図21は、スペーサーマガジンの下部領域での図20の拡大図を示す。図22は、本発明によるデバイスの、ニードルホルダーの領域中での連結のためのフロント領域を通る縦断面を示す。
【００５１】
本発明によるデバイス(101)は、図14に示すように、筐体(102)、ニードルホルダー(103)、連結及び観察ユニット(104)及びローディングユニット(105)からなる。チェーンコンポーネント用のマガジン(114)は、ローディングユニット内に設置される。連結及び観察ユニット(104)は、好ましくは、チェーンコンポーネントが連結される連結領域(104a)及びチェーンコンポーネントの配置を確認するための観察領域(104b)を含む。好ましい例示的な実施形態では、連結領域(104a)は、フラップ(111)を介して外側から到達可能である。後述するように、ニードルホルダー(103)は、デバイスの一端に配置され、ハンドル(108)は、その他端に配置される。ボタンエレメントとして構成された第３ロック(119)は、ハンドル(108)上に配置される。マガジン(114)及び連結及び／又は観察領域(104a、104b)は、ハンドル(108)とニードルホルダー(103)の間に配置される。
【００５２】
放射性放射線源(115)及び不活性スペーサー(117)を対応するマガジン(114)から放出し、プラグ接続を含むインプラント(図13を参照)すなわちチェーンコンポーネント(115、117)を連結してチェーンの形態にし、これをデバイス(101)へ取り付けられたニードル(124)内に充填する(図22を参照)のを助けることがデバイス(101)の目的である。
【００５３】
上記のデバイス(101)の中央エレメントは、図15、17、19、及び20に示すように、X軸、すなわちデバイスの縦軸(101)に沿って延びるワーキングチャネル(106)である。ワーキングチャネル(106)は、ハンドルから見て、好ましくは、マガジンホルダーのすぐ手前又は、別の実施形態では、ハンドルに最も近いマガジン(114)のイジェクション開口部の真下から始まり、ニードルホルダー(113)で終える。ブラケットマガジンのすぐ手前のワーキングチャネル(106)の開始は、後述するように、マンドレル(107)のより良い操作を可能にする。種々のユニットは、ワーキングチャネル(106)の辺りに配置され、筐体(102)によって支持される。筐体(102)は、デバイス(101)の他の機能ユニットを支持及び保護する。図14及び15は、右から左へ、ハンドル(108)、ローディングユニット(105)を有するマガジン(114)、連結及び観察領域(104a、104b)、及びニードルホルダー(103)を示す。
【００５４】
連結及び観察ユニット(104)は、ワーキングチャネル(106)を含み、外部ハンドル(108)によってワーキングチャネル(106)において直線的にガイドされるマンドレル(107)(図18又は19を参照)、及び連結領域(104a)においてインプラントを見るためのミラー-レンズユニット(109)(図17を参照)を有する。マンドレル(107)は、ユーザーが横方向に変位可能なハンドル(108)によって、マガジンから放出される放射線源(115)又はスペーサー(117)をマガジン(114)の下方にあるワーキングチャネル(106)のセクションから連結領域(104a)内に輸送する。連結領域(104a)内の構成は、有利なことに、観察ユニット(104b)によって確認可能である。インプラントの所望の構成が確立された後、マンドレル(107)の助けでインプラントが押されて連結領域(104a)で一体化され、連結されてシード-スペーサーチェーンを形成する。土台として、ボタン(110)を含む第１ロック(110)は、連結プロセスの間、ワーキングチャネル(106)からニードルホルダー(103)へ遷移をブロックする。連結後に、第１ロック(110)が開かれ、これによって、連結されたインプラントチェーンをニードルホルダー(103)を介してニードル(124)内にイジェクションすることが可能になる(図22を参照)。第１ロック(110)は、好ましくは、ニードルホルダー(103)の前であって観察領域(104b)の後ろに配置されるが、ニードルホルダー(103)と同じ場所にあってもよい。
【００５５】
手動で作動可能なニードルホルダー(103)は、固定デバイスと、連結されたインプラントチェーンを取り付けられたニードル(124)内にガイドするニードルアダプターからなる。ニードルホルダーの固定デバイスは、充填の間、ニードル(124)を保持及び固定する。
【００５６】
レンズ-ミラーシステム(109)により、インプラント又はチェーンコンポーネントとの間接的な及びこれによって放射線-防護された視覚的接触が可能になる。観察ユニット(104b)内のフラップ(111)を介して、ワーキングチャネル(106)への直接アクセスが可能になり、シード-スペーサー構成への修正が可能になる。放射線源又はスペーサーの、修正の間の短期間の一時的な貯蔵ために放射線-防護されたバルブ(111)の下方にある２つの谷-形状の貯蔵場所が利用可能である。
【００５７】
両方のマガジン(114)は、図20に示すように、デバイス(101)の操作の間、安全機構(123)によってラッチ固定され、捕捉される。安全機構(123)は、スペーサーマガジン(118)の固定溝(9)に噛み合う突起を含む。しかしながら、マガジン(114)は、対応する放出レバーを作動させることによってロック解除及び取り外し可能である。指定された場所においてはマガジン(114)の取り違えは、メカニカルエンコーディングによって、起こりえない。好ましくは、放射線源マガジン(116)は、スペーサーマガジン(118)のエンコーディングと異なるエンコーディングを有する。エンコーディングは、マガジンの対応するエンコーディング開口部(11)と噛み合うエンコーディングボルトによって実行可能である。放射線源マガジン(116)のエンコーディングは、マガジン(116)が挿入されたときに、上記のロッキングスライダー(5)に追加の変位を生じさせる。これは、デバイス(101)内に設置する前のマガジン(116)のハンドリングの間及び輸送の間に、放射線露出からの追加の防護を提供する。放射線源マガジン(116)の取り外しの後、ロッキングスライダー(5)は、再び閉じる。
【００５８】
過大な力からのインプラントへのダメージを防ぐために、インプラントを連結するときに、フランジユニット(104)が磁気結合(122)で提供される。ハンドル(108)及びマンドレル(107)をガイドするキャリッジ(112)は、図18及び19に示すように、２つの部品で構成される。磁力の保持力を超えると、両方の部品が分離され、レバー(119)のさらなる操作ができなくなる。
【００５９】
チャージングユニット(105)は、スペーサーマガジン及び放射線源マガジン(118、116)用のスロットと、インプラントを放出するためのメカニカルレバー機構(113)を含む。マガジン(114)を挿入し、レバー機構(113)内の対応するボタン(113a)を作動させた後、インプラントがマガジンから、下方にあるチャネル(106)内に放出される。各マガジン(114)用のレバー機構(113)は、好ましくはスライド可能に支持されたレバー機構ボタン(113a)及び横方向の溝を有するボタンロッド(113b)を有し、ボタンロッド(113b)は、好ましくは、バネ支持され及び第１圧縮バネピース(113d)に向かう一面が傾斜している。さらに、レバー機構(113)は、筐体内で第１圧縮バネピース(113d)で回転可能にバネ支持されたレバー(113c)と、対応する第２圧縮バネピース(113f)でボタンロッド(113b)に対して横方向に並進にガイドされるプッシュロッド(113e)を各レバー機構に含み、プッシュロッドの第１エクステンション(113g)及びプッシュロッドの第２エクステンション(113h)も含む。
【００６０】
ここで、図18-20を参照して、レバー機構(113)をより詳しく説明する。ボタン(113a)を押すことによって、好ましくは両側でスライド可能にガイドされたボタンロッド(113b)が下側に動かされ(図20を参照)、この自由端が第１圧縮バネピース(113d)のバネ支持されたピンを押す。これによって、圧縮バネピース(113d)が下側に押される。この圧縮バネピース(113d)は、筐体内で回転可能に支持されたレバー(113c)に直接接続されているので、ボタンロッド(113b)のモーションは、レバー(113c)へ直接伝わる。これによって、レバー(113c)は、圧縮バネピース(113d)に対向する端部を持ち上げ、上方に配置されたマガジンと噛み合い、これによってインプラントの放出が開始される。
【００６１】
作動後、下方位置にレバー機構ボタン(113a)を固定するために、プッシュロッド(113e)の第２圧縮バネピース(113f)が傾斜しているボタンロッド(113b)の横方向の溝内にラッチする。同時に、レバー(113c)の第１圧縮バネピース(113d)のバネピンが傾斜しているボタンロッド(113b)に沿ってスライドする。レバー(113c)は、バネ支持されているので、元の位置に戻る。安全上の理由ために、作動後、ボタン(113a)を一時的に押圧された位置で固定し、マガジン(114)を作動させた後、レバー(113c)が初期位置に戻ることを可能にすることがこの機構の目的である。
【００６２】
図18及び19に示すように、プッシュロッド(113e)は、レバー機構(113)の両側に延びる第１エクステンション(113g)及び第２エクステンション(113h)を有する。プッシュロッド(113b)の第１エクステンション(113g)は、マガジン(114)と第１ロック(110)の間に配置され、第１ロック(110)の開口部(110b)に噛み合い、第１ロック(110)のロックボタン(110a)を開く。プッシュロッド(113b)の第２エクステンション(113h)は、マガジンとハンドル(108)の間に配置され、第３ロック(119)の開口部(119b)内に噛み合う。
【００６３】
インプラント(115、117)がマガジン(114)の下に放出され、ボタン(113a)が下方位置にあると、ハンドル(108)は、最初にX方向に押されなければならない。ハンドルがX方向に押され、第３ロック(119)が閉じると、ユーザーは、ハンドル(108)を用いて第２エクステンション(113h)に逆らって、従ってプッシュロッド(113e)に逆らって第３ロック(119)を押す。この状態で、第２エクステンション(107)は、第３ロック(119)の開口部(119b)内で固定され、ハンドル(108)を用いて変位される。プッシュロッド(113e)の第２圧縮バネピース(113f)は、ボタンロッド(113b)の横方向の溝の外に押され、これによって、ボタン(113a)がロック解除される。ハンドル(108)の動きによりマンドレル(107)も移動するので、ボタン(113a)をロック解除すると、自動的に、マガジンの下方にあるスペースからインプラントが変位される。
【００６４】
第３ロック(119)が開くと、ハンドル(108)及びマンドレル(107)は、第３ロック(119)及び第２プッシュロッドエクステンション(113h)によって範囲が定められることなくX方向に変位可能になる。この位置は、インプラントチェーンを連結し、その後に、ニードル(123)内に押しこむために使用される。しかしながら、第３ロック(119)がこの位置では、ボタン(113a)は、ロック解除可能でない。
【００６５】
第１ロック(110)が開かれ、連結後に、ニードル(123)内にインプラントチェーンを押しこむ場合、インプラントチェーンは、ロック(110)が戻るときにチェーンへダメージが加わることを防ぐためにこの位置に固定される。第１ロック(110)は、第３ロック(119)を有するキャリッジが第２エクステンション(113h)を変位させるときに、プッシュロッド(113e)の第１エクステンション(113g)からの開口部(110b)を介したインパルスによってのみ再び閉じる。閉じた状態では、第１ロック(110)は、個別のインプラントからインプラントチェーンを連結するための土台として役立つ。
レバー機構(113)を用いて、２つのチェーンコンポーネントが重なってイジェクトされることが防止可能である。しかしながら、異なるマガジン(114)のボタン(113a)は、同時にリリース可能である。なぜなら、これらは、ワーキングチャネル(106)の上方で水平に間隔を空けて配置されているからである。有利なことに、これは、同時に(又は短い時間以内に)放射線源マガジン及びスペーサーマガジンのボタン(113a)を押すことによってより素早いアセンブリを可能にする。
【００６６】
図20は、本発明によるデバイス(101)を通る、スペーサーマガジン(118)の高さでの断面を示す。ハンドル(108)は、スペーサーマガジン(118)の後ろに視認可能である。デバイスマガジン(101)用収容機構の安全機構(123)は、スペーサーマガジン(118)の高さに配置される。安全機構(123)は、例えば図20では右上側に配置される突起(123)を備える。この突起(123)は、スペーサーマガジン(118)の固定溝(9)に噛み合い、デバイス(101)中でマガジン(118)を捕捉する。安全機構(123)は、上側の領域にボタン(123b)をさらに含む。ボタン(123b)を押すことによって、安全機構の突起(123a)が旋回して固定溝(9)から外れ、マガジン(118)が解放される。図20では、安全機構(123)は、スペーサーマガジン(118)の一側面上に配置され、イジェクションレバー機構(113)が他方の側面上に配置される。イジェクションレバー機構(113)は、マガジン(118)のイジェクターレバー(4)と作動的に接続されているボタン(113a)を含む。レバー機構(113)のボタン(113a)を押すことによって、イジェクターレバー(4)が上側に回転され、スペーサー(119)が下側にあるワーキングチャネル(106)内に放出される。図21は、図20のワーキングチャネル(106)を拡大図で示す。ワーキングチャネル(106)は、好ましくはV-形状を有し、チェーンコンポーネントがVの最深部に配置及びガイドされる。
【００６７】
図22は、デバイス(101)のニードルホルダー(103)内に挿入されるニードル(124)を示す。チェーンコンポーネントは、マンドレル(107)によって、連結及び観察ユニットからニードル(124)内に押される。
次に、チェーンコンポーネントを連結するためのデバイス(101)のエレメントの操作の順序を簡単に要約する。
-レバー機構(113)を作動させて、チェーンコンポーネントをイジェクトする。作動したマガジンのレバー機構(113)をブロックする。
-ハンドル(108)の移動させて、デバイスの縦軸に沿ってワーキングチャネル(106)内でマンドレル(107)を動かし、イジェクトされたチェーンコンポーネントを連結領域及び観察領域(104a、104b)内に動かす。以前にブロックされたレバー機構(113)を解放する。
-必要とされるチェーンコンポーネントが放出されるまでステップ1及び2を繰り返す。
-ハンドル(108)上の第３ロック(119)のボタン(119)を押してロックし、第１ロック(110)に逆らってマンドレル(107)を用いてチェーンコンポーネントを押すことによってチェーンコンポーネントを連結する。
-ボタン(110a)を押すことによって第１ロック(110)を解放する。
-マンドレル(107)を変位させて、連結されたチェーンコンポーネントをニードル(124)内に動かす。
バネによる負荷又は手動によりハンドル(108)を元の位置に戻し、マンドレル(107)の新たな移動の後にのみ、好ましくは第１ロック(110)の第１開口部(110b)中での第１エクステンション(113g)の噛み合いによって、第１ロック(110)を閉じる。
【００６８】
要約すると、この発明は、完全に無菌状態にすることができる、放射線源-スペーサーチェーンの生産用のデバイス(101)を示す。  デバイス(101)は、電気機械部品を必要としない。チェーン内での放射線源及びスペーサー(115、117)の配置は、患者指向の治療プランと整合するように、個別に及び可変的に構成可能である。
【００６９】
放射線源-スペーサーチェーンの生産には、記載されたデバイス(101)は、２つのマガジン(116、118)のみを必要とし、チェーンのアセンブリの間の混同を最小化することができる。マガジン(116、118)は、デバイスの縦軸に沿って一列に配置される。これは、オペレーターにとってクリアーでユーザーフレンドリーな概観を形成する。
【００７０】
上記のデバイス(101)及びマガジン(116、118)のエンコーディングを用いると、デバイス(101)内への挿入の間に、放射線源マガジン又はスペーサーマガジンを取り違えることが不可能になる。
【００７１】
両方のマガジン(116、118)は、マガジンの下に配置され且つ上側が開いているワーキングチャネル(106)内に格納されたインプラントを輸送する。このチャネル(105)では、インプラントは、デバイス(101)の前側へ押され、そこで連結されて、いわゆるストランドになる。この概念は、インプラントが後側のマガジン(118)から前側のマガジン(116)へ動かされること（これは、詰まりの原因になり得る。）を防ぐ。さらに、この概念は、マガジン(116、118)があまりにも早く全体の構成からの偶然に取り外された場合にマンドレル(107)がダメージを受けることを防ぐ。単一のワーキングチャネル(106)内へインプラントのイジェクションを行ってチェーンリンクの取り外しと連結の両方を行うことは、マンドレル(107)を曲げるというリスクを最小化する。
【００７２】
ワーキングチャネル(106)に対するマガジン(116、118)のこの配置のために、デバイスの縦軸に対して角度をつけてマガジン(116、118)を動かして、イジェクトされるインプラントを変更する必要がない。
【００７３】
マガジンは、好ましくは、省スペースのカルーセルデバイス内に格納された、５０超１００以下のチェーンコンポーネントを含む。しかしながら、１００より多くのチェーンコンポーネントがマガジン内に格納されていてもよい。好ましい約100の放射線源又は100のスペーサーの内容のため、大部分の放射線源治療は、マガジン(116、118)をそれぞれ一つだけで実行可能である。
【００７４】
インターロックのため、放射線源ストック又はストックスペーサーが使い終わったときに、マガジン(116、118)は、リリースされない。
【００７５】
マガジン(116、118)は、常に同じ力を提供する一定力バネ(3)で駆動される。この一定力バネ(3)のブロッキングは、外部駆動固定システム(4)によって生成される。
【００７６】
マガジン(116、118)は、治療後に再使用可能である。これらは、電気機械部品を含まない。
【００７７】
マガジン内に残っている放射線源及びスペーサー(115、117)の数は、マガジン(116、118)上でいつでも読み取り可能である。このことは、治療の間及び後に、使用済みの放射線源及びスペーサー(115、117)の数を数える必要性をなくす。
【００７８】
マガジン(116、118)は、最適な放射線防護を提示する。なぜなら、筐体(102)は、全ての側面でシールドされているからである。放射線源マガジン(116)の開口部(10)は、活性な放射線源(115)を含むマガジン(116)が挿入された後にのみ、リリースされる。マガジン(116)の取り外し後、開口部(10)は、再び閉じる。従って、放射線防護が、使用及び輸送の間の全期間（つまり、デバイスの外側でさえ）、保証される。この機能的詳細は、非アクティブスペーサー(117)を有するマガジンについては省略可能である。
【００７９】
予め作製した放射線源-スペーサーチェーンとは違って、各患者に応じて個別に作成された放射線源-スペーサーチェーン構成は、放出される放射線源廃棄物を減少させる。未使用の放射線源(115)及びスペーサー(117)は、対応するマガジン(116、118)に残っている。従って、放射線露出は、起こりえない。
【００８０】
さらに、ワーキングチャネル(106)内に放出された放射線源による放射線露出は、シールド及びミラーによる間接的観察によって妨げられる。
【符号の説明】
【００８１】
1 マガジン
2 チェーンコンポーネントを収容する手段、すなわちシードリポジトリ
3 第１引張バネ-一定力バネ
4 イジェクションレバー
5 スライディングシャッター
6 凹部
7 マガジン筐体
7a  筐体カバー
7b  筐体シェル
8 内部ベアリングリング
9 固定溝
10 イジェクション
11 エンコーディング穴
12 開口部
13 上側のスプロケット
14 表示
15 マーキング
16 内壁
17 中央開口部
18 スペーサー
19 放射線源
20 イジェクションレバー4用の第１圧縮バネ
21 スライディングシャッター5用の第２圧縮バネ
22 空のマガジンの場合のリリースブロッキングエレメント
101 放射線源用のアセンブリデバイス
102 筐体
103 ニードルホルダー
104 連結領域及び観察ユニット
104a 連結領域
104b 観察ユニット
105 ローディングユニット
106 ワーキングチャネル
107 マンドレル
108 外部ハンドル
109 ミラー-レンズユニット
109a ミラー
109b レンズ
110 第１ロック-チェーンコンポーネントをアセンブルするためのワーキングチャネル内のロック
110a 第１ロックボタン
110b プッシュロッド113gの第１エクステンション用の収容アパーチャー
111 フラップ
112 キャリッジ
113 レバー機構
113a レバー機構ボタン
113b レバー機構ボタンのロッド
113c レバー
113d 第１圧縮バネピース
113e プッシュロッド
113f 第２圧縮バネピース
113g 第１プッシュロッドエクステンション
113h 第２プッシュロッドエクステンション
114 マガジン
115 放射線源
116 放射線源マガジン
117 スペーサー
118 スペーサーマガジン
119 第３ロック-ハンドル内のロック
119a 第３ロックボタン
119b プッシュロッド113hの第２エクステンション用の収容アパーチャー
120 照明用の設置スペース
121 ワーキングチャネルへのローディングユニットの開口部
122 磁気結合
123 マガジン安全機構
123a 安全機構123用の突起
123b 安全機構123用のボタン
124 ニードル
【図１】
2011161238.tif 000003
【図２】
2011161238.tif 000004
【図３】
2011161238.tif 000005
【図４】
2011161238.tif 000006
【図５】
2011161238.tif 000007
【図６】
2011161238.tif 000008
【図７】
2011161238.tif 000009
【図８】
2011161238.tif 000010
【図９】
2011161238.tif 000011
【図１０】
2011161238.tif 000012
【図１１】
2011161238.tif 000013
【図１２】
2011161238.tif 000014
【図１３】
2011161238.tif 000015
【図１４】
2011161238.tif 000016
【図１５】
2011161238.tif 000017
【図１６】
2011161238.tif 000018
【図１７】
2011161238.tif 000019
【図１８】
2011161238.tif 000020
【図１９】
2011161238.tif 000021
【図２０】
2011161238.tif 000022
【図２１】
2011161238.tif 000023
【図２２】
2011161238.tif 000024
【外国語明細書】
2011161238000001.pdf